(57)【要約】【課題】  複雑な装置構成を用いることなく、放置ジョブ用紙の情報を表示しユーザを特定する。【構成】  原稿を読取るスキャナ部と、画像が形成され排出される用紙のジョブごとに付箋の色を変え貼り付ける付箋貼り付け部と、前記ジョブの情報と付箋の色を対応付けて記憶する記憶手段と、前記対応付けられた情報を表示する表示部とからなる画像形成装置。【選択図】図５
2005335906.tif 000002
【特許請求の範囲】
【請求項１】
原稿を読取るスキャナ部と、画像が形成され排出される用紙のジョブごとに付箋の色を変え貼り付ける付箋貼り付け部と、前記ジョブの情報と付箋の色を対応付けて記憶する記憶手段と、前記対応付けられた情報を表示する表示部とからなる画像形成装置。
【請求項２】
前記スキャナ部はカラースキャナであって、読取った原稿の付箋の色とジョブの情報を表示部に表示することを特徴とする請求項１記載の画像形成装置。
【請求項３】
前記貼り付け部によって貼り付けられる付箋の位置が順次を変わることを特徴とする請求項１及び２記載の画像形成装置。
【請求項４】
前記ジョブの情報は画像形成を指示したユーザーを特定する情報や画像形成時刻などであることを特徴とする請求項１及至３記載の画像形成装置。
【発明の詳細な説明】
【技術分野】
【０００１】
本発明は、複写機、プリンタ、ファクシミリ等の画像形成装置の付箋処理に関する。
【背景技術】
【０００２】
複写機、プリンタ、ファクシミリ等の画像形成装置の排紙部において、複数のジョブが連続して出力されるときにおいて、各ジョブにより排出された用紙の仕分けを容易にするために、印刷ジョブの先頭もしくは一番後ろに、付箋のような紙やテープを剥離可能なノリなどで貼り、この付箋が排紙装置上に重ねられた用紙からはみ出るようにし、ジョブ毎に付箋の貼り付け位置をずらして区分けしている。（特許文献１参照）
このように、ジョブ毎に付箋を貼り付けることにより、ジョブの区分けは容易となるが、ユーザが各ジョブの終了後、出力された用紙をすぐに取りに行くとは限らず、取りに行くのを忘れたり等、排紙トレイに出力された用紙が放置されることがあり、どのユーザの出力したものかが分からず困ることがある。
【０００３】
また、付箋にユーザー名や、ジョブ名を印字する印字部をさらに備え、付箋を見ることによりユーザを特定できる方法が提案されている。（特許文献２参照）
【特許文献１】特開２０００−８６０６２号公報
【特許文献２】特開平１０−８７１４８号公報
【発明の開示】
【発明が解決しようとする課題】
【０００４】
しかし、前述した方法は、排紙処理部に印字部を設ける必要があり、装置が複雑になってしまい、印字部の設置箇所やメンテナンスの面で問題がある。
【０００５】
本発明は、上述のごとき実情に鑑みてなされたもので、複雑な装置構成を用いることなく、各ジョブの情報を表示できることを目的としてなされたものである。
【課題を解決するための手段】
【０００６】
請求項１に係る画像形成装置は、原稿を読取るスキャナ部と、画像が形成され排出される用紙のジョブごとに付箋の色を変え貼り付ける付箋貼り付け部と、前記ジョブの情報と付箋の色を対応付けて記憶する記憶手段と、前記対応付けられた情報を表示する表示部とからなるものである。
【０００７】
請求項２に係る画像形成装置は、請求項１記載の画像形成装置において、前記スキャナ部はカラースキャナであって、読取った原稿の付箋の色とジョブの情報を表示部に表示することを特徴とするものである。
【０００８】
請求項３に係る画像形成装置は、請求項１及び２記載の画像形成装置において、前記貼り付け部によって貼り付けられる付箋の位置が順次を変わることを特徴とするものである。
【０００９】
請求項４に係る画像形成装置は、請求項１及至３記載の画像形成装置において、前記ジョブの情報は画像形成を指示したユーザーを特定する情報や画像形成時刻などであることを特徴とするものである。
【発明の効果】
【００１０】
請求項１に記載の発明によれば、特別な機構を設けることなく排出トレイに排出され、載置された用紙の情報を、付箋の色を見ることにより、容易に知ることができる。
【００１１】
請求項２に記載の発明によれば、特別な機構を設けることなく排出トレイに排出され、載置された用紙の情報を、スキャナ部で付箋の色を読取らせる事により、容易に知ることができる。
【００１２】
請求項３に記載の発明によれば、排出トレイに排出され、載置された用紙を見ただけで付箋の色を知ることができ、また、そのままスキャナ部へ載せることができる。
【００１３】
請求項４に記載の発明によれば、排出トレイに排出され、載置された用紙のユーザーを特定することが可能となる。
【発明を実施するための最良の形態】
【００１４】
図１は、本発明による画像形成装置の一実施例を説明するためのブロック図である。図中の破線矢印は用紙の搬送経路を示す。画像形成装置１は、複写機，プリンタ，ファクシミリ等の紙に画像を形成し排紙する機能を備えたものである。原稿読取り部９は、紙に画像を形成する機能を持ち、例えば公知の電子写真方式の画像形成装置では、感光体ドラム、帯電装置、露光装置、現像装置、転写装置、クリーニング装置、定着装置等からなる（何れも図示せず）。
【００１５】
画像形成部５により画像が形成された紙は、前記電子写真方式の画像形成装置では、定着装置によりトナーが紙に定着された後、付箋貼り付け部６へ送られる。付箋貼り付け部６は、例えば特開２０００−８６０６２号公報に記載されたものが使用でき説明は省略する。付箋貼り付け部６で処理された用紙は排紙トレイ７で受けられる。
【００１６】
表示部８は液晶タッチパネル等で構成され、排紙トレイに載置されている用紙のジョブの情報を表示させるときに押下する載置用紙情報キー等（何れも図示せず）が配置されている。
【００１７】
制御部３には、装置各部を制御するＣＰＵ（Central  Processing  Unit）と、記憶部３として、プログラムデータ等が記憶されているＲＯＭ（Read  Only  Memory）や、ＣＰＵの作業領域として用いられるＲＡＭ（Random  Access  Memory）及び各種設定データ等が記憶されるＥＥＰＲＯＭ（Electrically  Erasable  Programmable  ＲＯＭ）等の書換え可能な不揮発性メモリを備え、画像データを必要に応じて加工する画像処理部４等からなる。
【００１８】
原稿読取り部９の詳細を図２に示す。ＤＦ（Ｄｏｃｕｍｅｎｔ  Ｆｅｅｄｅｒ）４０が載置されており、原稿の画像を読み取る場合、ユーザは、ＤＦ４０の原稿トレー４１にその原稿を裁置するか、プラテン３２に直接裁置する。原稿トレー４１に裁置された原稿は、ＤＦ４０によって自動的にプラテン３２上に給送される。
【００１９】
図２に示すように、プラテン３２の下側には、複数の撮像素子を線状に配列した撮像手段３０が設けられている。この撮像手段３０には、ＣＣＤ（Ｃｈａｒｇｅ  Ｃｏｕｐｌｅｄ  Ｄｅｖｉｃｅ）カラーラインセンサ等を用いることができる。撮像手段３０に原稿の光像を導けば、この撮像手段３０で読み取られたＲ，Ｇ，Ｂの各色成分の画像データをＣ，Ｍ，Ｙの各色成分の画像データに変換する変換回路（図示せず）を備えている。撮像手段３０は、各画素に対してＲ，Ｇ，Ｂのカラーフィルタを有し、同一画素位置の画像をＲ，Ｇ，Ｂの色成分の画像信号（アナログ信号）に分離して出力する。前記変換回路は、Ｒ，Ｇ，Ｂの各色成分の画像信号をＡ／Ｄ変換した後、減色法の３原色であるＣ，Ｍ，Ｙの各色成分の画像データに変換して出力する。
【００２０】
なお、Ｒ，Ｇ，Ｂの各色成分の画像データは、Ｃ，Ｍ，Ｙの各色成分の画像データに変換される。画像処理部４は、シェーディング補正や擬似階調処理、さらには必要に応じて拡大や縮小のような画像処理を行い、処理されたデータを画像形成部５に供給する。画像形成部５は、原稿読取り部９から供給された画像データに基づいて用紙に原稿画像を複写する。
【００２１】
光学系３４は、撮像手段３０の走査方向と平行な主走査方向と直角な副走査方向に往復動可能なキャリッジ３６を用いて、プラテン３２から入射した光を撮像手段３０に導く。キャリッジ３６には、原稿を露光するための露光光源３７、および露光された原稿からの反射光が入射する位置に配置された反射鏡３５が設けられている。露光光源３７には、例えば蛍光ランプが用いられる。線状のランプは、主走査方向に平行に配置される。露光光源３７を点灯し、プラテン３２を通じて原稿を露光すると、プラテン３２上の原稿でその光は反射される。この反射光は、図２に一点鎖線で示した光路の通り、キャリッジ３６の反射鏡３５でさらに水平方向に反射され、光学系３４のミラー３９および３８により集光レンズ３３に導かれる。集光レンズ３３は、導かれた光像を撮像手段３０上で結像する。
【００２２】
プラテン３２に原稿を裁置した場合、キャリッジ３６が副走査方向に移動することで、原稿を機械的に走査する。この機械的な走査と撮像手段３０の走査との組み合わせにより、原稿全面の２次元画像を得ることができる。ＤＦ４０の原稿トレー４１に原稿を裁置した場合、キャリッジ３６は読取位置から移動せず、ＤＦ４０の給送により原稿がその読取位置を通過することで、機械的な走査が行われる。
【００２３】
原稿の画像を上述のように得る場合、プラテン３２を通じて外光が反射鏡３５に入射すると、その外光が原稿の画像に影響を与える。これを防止したり、プラテン３２に裁置された原稿を押さえたりするために、プラテン３２を覆うプラテンカバーが用いられる。ＤＦ４０は、開閉自在に取り付けられており、ここでは、このＤＦ４０がプラテンカバーとして利用される。
【００２４】
また、図示しないネットワークＩＦ部（１０／１００Base-TX）等を備え、ＬＡＮ（Local Area Network）を介して接続された複数のＰＣ（Personal  Computer）や他の画像形成装置との間での種々のデータの送受信を制御する。
【００２５】
図３には、排紙トレイ７に排出された用紙の状態を上から見た図を示し、図４には排紙トレイ７に排出された用紙の状態を横から見た図を示す。破線は用紙２０の排出方向を示しており、画像形成装置１から用紙２０が排出される。排出される用紙２０には、ジョブ毎に付箋が貼られ、その付箋の色はジョブを出力したユーザ毎に異なっている。この時、使用した付箋の色とジョブ情報を記憶部３のＲＡＭ等に順次記憶する。前記ジョブ情報は、コピー使用時には、表示部８の液晶タッチパネル等から入力され、プリンタ使用時には、ＰＣからのプリントデータ送信時に、予め情報をヘッダー部等に記載させておく。ジョブ情報としては、ユーザー名、ユーザーの所属部門、送信ＰＣの情報、ジョブ出力時刻等である。
【００２６】
ここで、排紙トレイ７上に、３つのジョブの出力用紙、即ち図４（ａ）に示す付箋（２Ａ（赤色）、２Ｂ（白色）、２Ｃ（茶色））が貼られたジョブの用紙が載置されているとする。ここで、図４（ａ）では、付箋が用紙の同一位置に貼られている場合を示しているが、図４（ｂ）に示すように、付箋の位置をジョブ毎に変更しても良い。こうすることによって、用紙の位置をずらすことなく付箋の色を見ることができる。
【００２７】
ユーザはこの放置されている用紙がだれの出力したものであるかを知りたいときは、図５に示すように、表示部８の載置用紙情報キー８１を押下する。前記載置用紙情報キー８１が押下されると、ＣＰＵは、あらかじめ記憶部３のＥＥＰＲＯＭ等に記憶されている付箋色とユーザ名及び、前記記憶部３のＲＡＭ等に順次記憶した付箋色とジョブ情報から、例えば図５の表８２に示されるような、付箋色に対して、例えばユーザ名、部門、ジョブの出力時間を表示する。
【００２８】
以上示した実施形態では、すべての付箋色に対する情報を表示する形態を示したが、他の構成も考えられる。
【００２９】
図６に示すように、図４の排紙トレイの用紙束をプラテン３２上に置く。このとき用紙束の量が多い場合は１ジョブ毎或いは付箋が貼られている用紙のみをプラテン３２上に置いても良い。用紙の置き方は付箋の貼り付けられた面を主走査方向となるようにし、付箋の先端をプラテン３２の原稿を読取るときに原稿をセットする面に合わせる様にする（図中△印）。このとき、図４（ｂ）に示すように付箋の位置がジョブ毎に変更されていると、用紙をずらして置く等の特別な操作を必要とせず容易に用紙を載置することができる。
【００３０】
次に、表示部８の載置用紙情報キー８１を押下すると、制御プログラムの指令に従って、ＣＰＵは、露光光源３７を点灯し、キャリッジ３６の駆動モータを制御して、キャリッジ３６を待機位置から副走査方向に走査される。このときＤＦ４０は開けられたままであり、副走査は図４の破線で示す範囲の先端部のみが走査される。
【００３１】
プラテン３２の付箋が裁置されていない箇所では、露光光源３７からの光が反射されず、これに対し付箋が裁置されている箇所では、露光光源３７からの光が、原稿画像の読取時と同様、光学系３４のミラー３９、３８、集光レンズ３３を介して、撮像手段３０に導かれる。
【００３２】
この撮像手段３０には、先に述べたようにＣＣＤカラーラインセンサが使用され、撮像手段３０に原稿の光像を導けば、この撮像手段３０で読み取られたＲ，Ｇ，Ｂの各色成分の画像データをＣ，Ｍ，Ｙの各色成分の画像データに変換する変換回路を備えている。撮像手段３０は、各画素に対してＲ，Ｇ，Ｂのカラーフィルタを有し、同一画素位置の画像をＲ，Ｇ，Ｂの色成分の画像信号（アナログ信号）に分離して出力する。前記変換回路は、Ｒ，Ｇ，Ｂの各色成分の画像信号をＡ／Ｄ変換した後、減色法の３原色であるＣ，Ｍ，Ｙの各色成分の画像データに変換して出力する。画像処理部３は、前記Ｃ，Ｍ，Ｙの各色成分の画像データより付箋の色を特定する。
【００３３】
前記画像データより特定された付箋の色と、あらかじめ記憶部３のＥＥＰＲＯＭ等に記憶されている付箋色とユーザ名及び、前記記憶部３のＲＡＭ等に順次記憶した付箋色とジョブ情報から、例えば図７の表８３に示されるような、前記画像データより特定された付箋色に対して、例えばユーザ名、部門、ジョブの出力時間を表示する。
【図面の簡単な説明】
【００３４】
【図１】本発明による画像形成装置の一実施例を説明するためのブロック図である。
【図２】本発明による原稿読取り装置の一実施例を説明するための図である。
【図３】本発明による排紙トレイの一実施例を説明するための図である。
【図４】本発明による排紙トレイの一実施例を説明するための図である。
【図５】本発明による操作表示部に表示される形態を説明するための図である。
【図６】本発明によるプラテン上に設置された用紙の状態を説明するための図である。
【図７】本発明による操作表示部に表示される形態を説明するための図である。
【符号の説明】
【００３５】
１      画像形成装置
２      制御部
３      記憶部
４      画像処理部
５      画像形成部
６      付箋貼り付け部
７      排紙トレイ
８      表示部
９      原稿読取り部
２０    用紙
２Ａ、２Ｂ、２Ｃ    付箋
３０    撮像手段
３２    プラテン
【図１】
2005335906.tif 000003
【図２】
2005335906.tif 000004
【図３】
2005335906.tif 000005
【図４】
2005335906.tif 000006
【図５】
2005335906.tif 000007
【図６】
2005335906.tif 000008
【図７】
2005335906.tif 000009